(57)【特許請求の範囲】
【請求項１】
建物に複数の防災機器が接続された火災受信機或いは複数の監視装置が設置され、これらが各インターフェイスを介して通信線に接続されてなるシステムの防災システム表示装置であって、
建物の１箇所に火災受信機と複数の監視装置とが組み合わされて設置されたものにあって、複数の監視装置に対応する各インターフェイスが初期状態においてそれぞれ自分の立場を認識し、１つを主とし、それ以外を副とし、当該これら複数の監視装置とそれに対応する各インターフェイスとで通信状態が正常なときは、主のインターフェイスに対応して接続された監視装置は火災受信機からの防災情報に基づいて主として機能し、副のインターフェイスに対応して接続された監視装置は火災受信機からの防災情報に基づいて副として機能し、
前記監視装置とそれに対応する主のインターフェイスとで通信状態が異常なときは副のインターフェイスに対応して接続された各監視装置のいずれか１つは火災受信機からの防災情報に基づいて主として機能するよう切り替わるものであって、
前記複数の監視装置のうち少なくとも２台が１箇所に設置された当該各監視装置は、
建物の平面図或いは断面図並びに各種の防災表示を映出する画像表示装置と、
画像表示装置に建物の平面図或いは断面図並びに各種の防災表示を映出するよう制御する表示画面制御部と、
前記防災機器からの防災情報信号が火災受信機を介して入ってきたときに、他方の監視装置との関係で自分が主として機能するときは、該防災情報に係わる階の平面図と該防災情報に関する各種防災シンボルを画像表示装置に表示させる表示指令と共に操作が入力可能な各種操作釦を表示させる表示指令を表示画面制御部に出力し、
他方の監視装置との関係で自分が副として機能するときは、予め定義された図と前記防災情報に関する各種防災シンボルを画像表示装置に表示させる表示指令のみを表示画面制御部に出力し、さらに主として機能する監視装置が異常と判断したときは自身が主として機能して、前記防災情報に係わる階の平面図と該防災情報に関する各種防災シンボルを画像表示装置に表示させる表示指令と共に操作が入力可能な各種操作釦を表示させる表示指令を表示画面制御部に出力するよう制御する連携表示制御部とを備えたことを特徴とする防災システム表示装置。
【請求項２】
前記各監視装置は、
模擬警報動作のシミュレーションであって、建物の平面図を表示し、その平面図中にシミュレーション開始から終了までの一連の流れに基づく表示を行わせる主シミュレーションと、前記平面図とは異なる図を表示し、その図にシミュレーション開始から終了までの一連の流れに基づく表示を行わせる従シミュレーションとを記憶するデータベースと、を備え、
前記連携表示制御部は、
画像表示装置の画面に表示されたシミュレーションの操作釦が選択されたとき、他方の監視装置との関係で自分が主として機能するときは、データベースを読み込んで画像表示装置に主シミュレーションを表示させる表示指令を表示画面制御部に出力し、他方の監視装置との関係で自分が副として機能するときは、データベースを読み込んで画像表示装置に副シミュレーションを表示させる表示指令を表示画面制御部に出力するよう制御することを特徴とする請求項１記載の防災システム表示装置。
【請求項３】
前記各監視装置は音響発生装置を有し、当該各監視装置の連携表示制御部は他方の監視装置との関係で自分が主として機能するときと、或いは他方の監視装置との関係で自分が副として機能していて、主として機能する監視装置が異常と判断して自身が主として機能することとなったときは、防災情報発生時と火災受信機の異常時に音響発生装置に対して防災情報発生と異常を知らせる警報音指令を出力することを特徴とする請求項１又は２記載の防災システム表示装置。
【発明の詳細な説明】
【０００１】
【発明の属する技術分野】
本発明は例えば複数の建物にそれぞれ設置された監視装置を通信回線を介して監視する防災システム表示装置に関するものである。
【０００２】
【従来の技術】
従来より火災受信機と監視装置として機能するパソコンとで火災や煙、ガス洩れ等の発生区域を監視するものがあった。例えば、火災受信機が火災感知器を通して火災を検知したときは火災発生エリアを特定して表示部に表示し、パソコンは火災受信機によって特定された火災情報に基づいて出火階の部屋をパソコンのＣＲＴ画面に表示すると共に、ＣＲＴ画面の片隅に設定されたキープランエリアに出火階の全体平面図を表示し、管理者に知らせていた。
【０００３】
【発明が解決しようとする課題】
このように火災受信機とパソコンとで火災や煙、ガス洩れ等の発生区域を監視する場合、従来より建物のある棟の管理人室や防災センターには２台のパソコンを設置することがあった。
このように管理人室に２台のパソコンを設置したときには、１台のパソコンに「火災平面図」を表示し、もう１台のパソコンには「火災断面図」を表示するのが通例であり、かかる表示により出火区域が建物のどの階のどこかを判定し、迅速な避難誘導を必要とされる管理人が火災の状況把握を行っていた。
しかし、「火災平面図」を表示する１台のパソコンが通信異常等によりダウンすると、残り１台のパソコンはそれ以後何の操作もしないときは火災が発生してもそのまま「火災断面図」を表示し続け、画面切換の操作を行うことによって「火災平面図」を表示することができるが、その分操作が面倒であるという問題があった。
【０００４】
また、２台のパソコンを設置し、１台のパソコンに「平面図」を表示し、もう１台のパソコンには「断面図」を表示するようにしている場合に、例えば火災のシミュレーションを実行するときには、シミュレーションを実行しているパソコンのみがシミュレーションの火災表示を行い、もう１台のパソコンでは「断面図」を表示するだけで何の火災表示等の警報表示を行わなかったので、シミュレーションを実行している１台のパソコンが通信異常等によりダウンすると、それ以後はシミュレーションを実行できなくなり、さらに火災が発生しても残り１台のパソコンは「断面図」しか表示せず、画面切換の操作を行うことによって「平面図」を表示することができるが、その分操作が面倒であるという問題があった。
【０００５】
本発明は、このような問題点を解決するためになされたものであり、建物の１箇所、例えば防災センターや管理人室に２台のパソコンを設置した場合に、２台のパソコンに主／副関係を持たせ、万一、主側のパソコンがダウンすれば、副側のパソコンが主パソコンの機能を代行し、実際の火災があったときには「火災平面図」を映出して火災表示ができるようにし、またシミュレーションの実行を主側のパソコンと副側のパソコンとで連携して行うようにした防災システム表示装置を得ることを目的とする。
【０００６】
【課題を解決するための手段】
本発明に係る請求項１の防災システム表示装置は、建物に複数の防災機器が接続された火災受信機或いは複数の監視装置が設置され、これらが各インターフェイスを介して通信線に接続されてなるシステムの防災システム表示装置であって、建物の１箇所に火災受信機と複数の監視装置とが組み合わされて設置されたものにあって、複数の監視装置に対応する各インターフェイスが初期状態においてそれぞれ自分の立場を認識し、１つを主とし、それ以外を副とし、当該これら複数の監視装置とそれに対応する各インターフェイスとで通信状態が正常なときは、主のインターフェイスに対応して接続された監視装置は火災受信機からの防災情報に基づいて主として機能し、副のインターフェイスに対応して接続された監視装置は火災受信機からの防災情報に基づいて副として機能し、前記監視装置とそれに対応する主のインターフェイスとで通信状態が異常なときは副のインターフェイスに対応して接続された各監視装置のいずれか１つは火災受信機からの防災情報に基づいて主として機能するよう切り替わるものであって、前記複数の監視装置のうち少なくとも２台が１箇所に設置された当該各監視装置は、建物の平面図或いは断面図並びに各種の防災表示を映出する画像表示装置と、画像表示装置に建物の平面図或いは断面図並びに各種の防災表示を映出するよう制御する表示画面制御部と、前記防災機器からの防災情報信号が火災受信機を介して入ってきたときに、他方の監視装置との関係で自分が主として機能するときは、該防災情報に係わる階の平面図と該防災情報に関する各種防災シンボルを画像表示装置に表示させる表示指令と共に操作が入力可能な各種操作釦を表示させる表示指令を表示画面制御部に出力し、他方の監視装置との関係で自分が副として機能するときは、予め定義された図と前記防災情報に関する各種防災シンボルを画像表示装置に表示させる表示指令のみを表示画面制御部に出力し、さらに主として機能する監視装置が異常と判断したときは自身が主として機能して、前記防災情報に係わる階の平面図と該防災情報に関する各種防災シンボルを画像表示装置に表示させる表示指令と共に操作が入力可能な各種操作釦を表示させる表示指令を表示画面制御部に出力するよう制御する連携表示制御部とを備えたものである。
【０００７】
本発明に係る請求項２の防災表示装置は、前記各監視装置は、模擬警報動作のシミュレーションであって、建物の平面図を表示し、その平面図中にシミュレーション開始から終了までの一連の流れに基づく表示を行わせる主シミュレーションと、前記平面図とは異なる図を表示し、その図にシミュレーション開始から終了までの一連の流れに基づく表示を行わせる従シミュレーションとを記憶するデータベースと、を備え、前記連携表示制御部は、画像表示装置の画面に表示されたシミュレーションの操作釦が選択されたとき、他方の監視装置との関係で自分が主として機能するときは、データベースを読み込んで画像表示装置に主シミュレーションを表示させる表示指令を表示画面制御部に出力し、他方の監視装置との関係で自分が副として機能するときは、データベースを読み込んで画像表示装置に副シミュレーションを表示させる表示指令を表示画面制御部に出力するよう制御する。
【０００８】
本発明に係る請求項３の防災表示装置は、前記各監視装置は音響発生装置を有し、当該各監視装置の連携表示制御部は他方の監視装置との関係で自分が主として機能するときと、或いは他方の監視装置との関係で自分が副として機能していて、主として機能する監視装置が異常と判断して自身が主として機能することとなったときは、防災情報発生時と火災受信機の異常時に音響発生装置に対して防災情報発生と異常を知らせる警報音指令を出力する。
【００１３】
【発明の実施の形態】
図１は本発明の一実施形態に係る防災システム表示装置の監視装置の構成を示すブロック図、図２は同防災システム表示装置のネットワークの構成を示す模式図、図３は同防災システム表示装置の自動映出機能の連携を説明する説明図、図４は同防災システム表示装置の自動映出機能の連携を説明するフローチャート、図５は同防災システム表示装置のシミュレーション機能の連携を説明する説明図、図６は同防災システム表示装置のシミュレーション機能の連携を説明する説明図、図７は同防災システム表示装置のシミュレーション機能の連携を説明するフローチャート、図８は同防災システム表示装置の受信機操作を選択する画像を示す説明図、図９は同防災システム表示装置の連動遮断、火災断定、音響停止等の機能の連携を説明する説明図である。
【００１４】
図１において、１は例えば同一敷地内に建設された建物の１号棟Ａから４号棟Ｄのうち、１号棟、２号棟及び４号棟の１箇所、例えば防災センターや管理人室にそれぞれ配置された監視装置である。この監視装置１は図２に示すように監視装置本体２と画像表示装置３と監視装置本体２に各種のデータ並びに指令を与えるための入力装置であるキーボード４及び画像表示装置３のＣＲＴ画面３ａ上に表示される各種の防災シンボルの選択、操作釦の選択等に使用されるもう１つの入力装置であるマウス５と、音響発生装置であるスピーカ６とプリンタ７とで構成されている。
なお、１号棟及び２号棟の管理人室にはそれぞれ２台の監視装置１が設けられ、一方の監視装置１を主とし、他方の監視装置１を副とするように位置付けられている。ここで、主とは表示、印字、音響等のすべてについて主たる動作を行い、もっぱら操作者との対応を行うように定義づけられていることをいう。また、副とは主のサブとして機能し、表示については主の補助表示を行うように動作し、印字、音響等の操作については制限されるように定義づけられることをいう。
【００１５】
これらの監視装置１は敷地内に敷設されたループ状の通信線（以下、「ＬＡＮ」という）８にインターフェイス（以下、「Ｉ／Ｆ」と略す）９を介して接続されている。
１１は建物の１号棟から３号棟の管理人室にそれぞれ設けられ、前記と同様にＬＡＮ９にＩ／Ｆ１３を介して接続された火災受信機である。この火災受信機１１は正面に表示部及び操作部（図示せず）を有し、建物の各監視区域にそれぞれ設置された防災機器の一例である火災感知器１２を通じて火災の有無を監視し、何れかの火災感知器１２の火災信号が入力されたときは、その信号から火災発生区域を特定し、図示せぬスプリンクラー、消火設備、防火戸、排煙機等を駆動させる信号と各種の火災表示指令を出力し、かつ特定した火災発生区域及び火災発報の火災感知器１２を示す火災情報信号をＩ／Ｆ１３を介してＬＡＮ８に伝送する。
これらのＩ／Ｆ９、Ｉ／Ｆ１３はそれぞれノードＮｏ．を有しており、例えば１号棟Ａの１つの監視装置１に対応するＩ／Ｆ９がマスターとなり、それ以外のＩ／Ｆ９、Ｉ／Ｆ１３は全てスレーブとなる。ここで、Ｉ／Ｆ９、Ｉ／Ｆ１３の異常とは電源オフ以外の監視装置１又は火災受信機１１との通信異常、内部のＩＣ異常等をいう。
【００１６】
図２において、２ａは監視装置１の監視装置本体２に設けられた連携表示制御部で、火災感知器１２の火災信号を受信した火災受信機１１が出力する例えば火災情報並びに各種の表示指令を取り込み、火災情報並びに各種の表示指令を発した火災受信機１１を特定し、これらの火災発生区域情報並びに表示指令情報を後述する表示画面制御部に通知すると共に、スピーカ６を鳴動させる信号を出力し、さらに他方の監視装置との関係で自分が主又は副で、他が副又は主として機能するように連携をとって建物の平面図或いは断面図並びに各種の防災表示を映出させるように制御する。
２ｂは監視装置本体１に設けられ、画像表示装置３に建物の各階の平面図或いは断面図並びに各種の防災表示を映出するよう制御する表示画面制御部である。
２ｃは監視装置本体１に設けられ、建物の平面図及び断面図、建物内の火災感知器、消火栓、防火戸、排煙機の配置及び各種の表示データ並びに自身が主或いは副として機能するプログラム、防災のシミュレーションのプログラム等の各種データを記憶しているデータベース（以下、「ＤＢ」と称する）である。
【００１７】
３ａは画像表示装置３のＣＲＴ画面、３ｂはＣＲＴ画面３ａの画面中央部において、例えば建物の所望の階の平面図の一部又は全体を表示するグラフィックエリア、３ｃはＣＲＴ画面３ａの画面上部左側において、例えば「本館２階の平面図」等のタイトル及び火災感知器が火災を感知したことを代表的に表示するタイトル表示部、３ｄは画面上部真中側において、例えば「ガイダンス」、「シンボル凡例」、「取り扱い」等を表示するメニューバー、３ｅは画面上部右側において、例えば「時刻」を表示する時計表示部、３ｆは画面中央右側において、例えば「メニュー」、「音響停止」等の操作釦を表示する操作表示部、３ｇは画面下部左側において、例えば「１２時４５分  火災感知器  発報  本館２階レストラン」等のイベントを表示するイベントリスト表示部、３ｈは画面下部右側寄りにおいて、例えば「システム状態  火災表示中」等を表示するシステムメッセージ表示部、３ｉは画面下部右側において、例えば本館２階の全体の平面図を表示するキープラン表示部である。
【００１８】
次に、本発明の実施の形態の防災システム表示装置の自動映出機能の連携動作を図２、図３及び図４のフローチャートに基づいて説明する。
ここで、自動映出機能とは例えば、防災情報発生時の一例である火災発生時に自動的に画面に火災感知器のシンボルを映出させ、その後に火災に関連する防火ダンパのシンボルやスプリンクラのシンボルや排煙口のシンボル等の防災シンボルを映出させる機能をいう。
ここで、自動映出機能の連係動作を説明する前に、まず防災システム表示装置において、主と副の監視装置１が正常に動作し、主／副の関係が成立するまでの手順について説明する。
１）１〜３号棟の監視装置１並びに火災受信機１１について電源が投入されると、１号棟のマスターのＩ／Ｆ９（ノードＮ１）がＬＡＮ８のネットワーク上に存在している各スレーブのＩ／Ｆ９、Ｉ／Ｆ１３が正常か異常かを判断して各スレーブのＩ／Ｆ９、Ｉ／Ｆ１３に対して正常か異常かどうかの状態通知を個別に通知する。
２）各スレーブのＩ／Ｆ９、Ｉ／Ｆ１３はマスターのＩ／Ｆ９からの状態通知に対し、応答として自分のＩ／ＦステータスをマスターのＩ／Ｆ９（ノードＮ１）に送信する。
【００１９】
３）ここで、１号棟について見ると、マスターのＩ／Ｆ９（ノードＮ１）とスレーブのＩ／Ｆ９（ノードＮ２）で、上記１）、２）のやり取りが行われ、お互いのノードに異常がなければ、その時点でマスターのＩ／Ｆ９（ノードＮ１）はスレーブのＩ／Ｆ９（ノードＮ２）に対して主ＣＲＴ運転開始を通知する。このとき、その主運転開始の通知はマスターのＩ／Ｆ９（ノードＮ１）に対する主の監視装置１の連携表示制御部２ａにも入力され、主としての機能を果たすように設定される。
また、主ＣＲＴ運転開始の通知を受けたスレーブのＩ／Ｆ９（ノードＮ２）はマスターのＩ／Ｆ９（ノードＮ１）に対して副ＣＲＴ運転開始を通知する。このとき、その副運転開始の通知はスレーブのＩ／Ｆ９（ノードＮ２）に対応する副の監視装置１の連携表示制御部２ａにも入力され、副としての機能を果たすように設定される。
【００２０】
４）また、２号棟について見ると、スレーブのＩ／Ｆ９（ノードＮ３）とスレーブのＩ／Ｆ９（ノードＮ４）とでは、その各スレーブのＩ／Ｆ９がマスターのＩ／Ｆ９（ノード１）と上記１）、２）のやり取りを行い、お互いのノードに異常がなければ、その時点でスレーブのＩ／Ｆ９（ノード３）がスレーブのＩ／Ｆ９（ノード４）に対して主ＣＲＴ運転開始を通知する。このとき、その主運転開始の通知はスレーブのＩ／Ｆ９（ノード３）に対応する主の監視装置１の連携表示制御部２ａに入力され、主としての機能を果たすように設定される。
また、主ＣＲＴ運転開始の通知を受けたスレーブのＩ／Ｆ９（ノード４）はスレーブのＩ／Ｆ９（ノード３）に対して副ＣＲＴ運転開始を通知する。このとき、その副ＣＲＴ運転開始の通知はスレーブのＩ／Ｆ９（ノードＮ４）に対応する副の監視装置１の連携表示制御部２ａにも入力され、副としての機能を果たすように設定される。
【００２１】
５）以後、マスターのＩ／Ｆ９（ノードＮ１）からの全てのＩ／Ｆ９、Ｉ／Ｆ１３に対する定期通知及び各スレーブのＩ／Ｆ９、Ｉ／Ｆ１３からマスターのＩ／Ｆ９への状態通知により、各スレーブのＩ／Ｆ９、、Ｉ／Ｆ１３の監視を行う。
６）なお、マスターのＩ／Ｆ９（ノードＮ１）からの定期通知に対し、例えばスレーブのＩ／Ｆ９（ノードＮ３）がＩＣ異常をマスターのＩ／Ｆ９（ノードＮ１）に送信した場合、スレーブのＩ／Ｆ９（ノードＮ４）がスレーブのＩ／Ｆ９（ノードＮ３）の異常を検知し、その異常の通知はスレーブのＩ／Ｆ９（ノードＮ４）に対応する監視装置１の連携表示制御部２ａに入力され、その監視装置１は今まで副としての機能を果たしていた代わりに、主としての機能を果たすように設定が切り替わる。
このようにして２台の監視装置１を有する１号棟と２号棟について、主と副の監視装置１が正常に動作し、主／副の関係が成立するよう設定される。
【００２２】
例えば、建物の１号棟Ａの主と副の監視装置１について、まず、電源を投入する（ステップＳ１）。
次に、主と副の監視装置１が正常に動作するかどうか判断する（ステップＳ２）。
そして、主と副の監視装置１が正常に動作している場合、例えば建物の１号棟Ａの主と副の監視装置１について見ると、主と副の監視装置１の画像表示装置３のそれぞれに、連携表示制御部２ａの指令に基づき表示画面制御部２ｂが動作し、電源投入のイニシャル時は画像表示装置３のＣＲＴ画面３ａのグラフィックエリア３ｂの画面上に「イニシャル中」の表示がされ、背景は黒で「イニシャル中」の無地でスクリーンセイバーが行われる。
【００２３】
次に、イニシャル終了後に平常監視中かどうかを見る（ステップＳ３）。そして、平常監視中であれば、ＣＲＴ画面３ａのグラフィックエリア３ｂの画面上に「平常監視中」の表示がされ、背景は黒で「平常監視中」の無地でスクリーンセイバーが行われる。
そして、スクリーンセイバーが行われている平常監視中に、主の監視装置１について、マウス５でＣＲＴ画面３ａのグラフィックエリア３ｂの画面上のどこかをクリックすると、メニュー１画面（図示せず）が表示される。このメニュー１画面には建物の各階の警戒区域を表す各階警戒区域選択メニューが表示される。
【００２４】
そこで、２号棟Ｂで表示したい階が２階であれば、メニュー１画面上の該当する２階をクリックすると、２号棟Ｂの２階の平面図が標準画面として表示される。
また、副の監視装置１のＣＲＴ画面３ａのグラフィックエリア３ｂには、ＤＢ２ｃにより前記主の２号棟Ｂの平面図とは異なる予め定義された図、例えば２号棟Ｂの断面図が標準画面として表示される。なお、主と副の監視装置１のＣＲＴ画面３ａのグラフィックエリア３ｂに映出されている表示は所定時間後に、「平常監視中」の表示に切り替わる。
このように、主の監視装置１のＣＲＴ画面３ａのグラフィックエリア３ｂに２号棟Ｂの２階の平面図が表示され、副の監視装置１のＣＲＴ画面３ａのグラフィックエリア３ｂに２号棟Ｂの断面図が表示されている平常監視中の状態で、例えば１号棟Ａの２階の２−２の警戒区域で火災が発生するという平常監視中の状態でなくなると、その警戒区域で火災を感知した火災感知器１２の火災信号が火災受信機１１に入力され、火災受信機１１ではその火災感知器１２の火災信号から何階のどの警戒区域に火災が発生したのかが分かる。
【００２５】
そして、火災受信機１１は何階のどの警戒区域の火災感知器１２が火災が発報したかを示す火災表示指令をＩ／Ｆ１３、Ｉ／Ｆ９を介して２台の監視装置１の連携表示制御部２ａにそれぞれ出力する。
そして、主の監視装置１の連携表示制御部２ａでは、火災受信機１１からのＩ／Ｆ９を介した火災表示指令に基づき、表示画面制御部２ｂを動作させて画像表示装置３のグラフィックエリア３ｂに表示されている２号棟Ｂの２階の平面図を映出する表示画面または「平常監視中」を映出する表示画面から、図３（ａ）の左側に示すように火災発生区域である１号棟Ａの平面図の２階の２−２の警戒区域の火災シンボルＳを白抜き表示から赤色点滅表示に切り替えると共に、タイトル表示部３ｃ内の火災代表表示を行う箇所で火災シンボルＳ（図示せず）が赤色点滅表示するようにする。このとき、ＣＲＴ画面３ａの操作表示部３ｆに「メニュ」、「音響停止」等の操作釦が表示される。
【００２６】
また、副の監視装置１の連携表示制御部２ａでは、火災受信機１１からのＩ／Ｆ９を介した火災表示指令に基づき、表示画面制御部２ｂを動作させて画像表示装置３のグラフィックエリア３ｂに表示されている２号棟Ｂの断面図を映出する表示画面又は「平常監視中」を映出する表示画面から、図３（ａ）の右側に示すように火災の発生した建物の１号当Ａの断面図の出火階である２階の警戒区域の火災シンボルＳを白抜き表示から赤色点滅表示に切り替えるが、ＣＲＴ画面３ａの操作表示部３ｆには何の操作釦も表示されない（ステップＳ４）。
このように、副の監視装置１の画像表示装置３のグラフィックエリア３ｂに表示される画面は主に対して補助の表示を行うようになっている。
次に、主の監視装置１の連携表示制御部２ａがスピーカ６に火災の発生を知らせるスピーカ鳴動指令を出し（ステップＳ５）、スピーカ６は火災発生の警報音を鳴動させる（ステップＳ６）。
【００２７】
そのスピーカ６の警報音の鳴動はＣＲＴ画面３ａの操作表示部３ｆの「音響停止」の操作釦をマウス５でクリックすることにより停止される（ステップＳ７、Ｓ８）。
なお、スピーカ６で火災発生の警報音を鳴動させた場合、主の監視装置１の連携表示制御部２ａがプリンタ７に駆動指令を出して火災発生の内容を自動的に印字することとしている。また、画像表示装置３のグラフィックエリア３ｂには火災発生時には火災シンボルが表示され、その後は消火栓、防火戸、排煙機等の火災に関連する端末機器が動作した時毎に各端末機器のシンボルも表示される。これらの場合も動作が起こる毎にプリンタ７で各端末機器の動作内容が自動的に印字される。また、画像表示装置３のグラフィックエリア３ｂに映出された復旧のための復旧釦、連動遮断解除のための連動遮断解除釦等の各種の操作釦の操作時も操作毎にプリンタ７で各操作釦の操作内容が自動的に印字される。
【００２８】
次に、操作表示部３ｆの「音響停止」の操作釦をマウス５でクリックしてスピーカ６の警報音の鳴動を停止させた場合、或いは操作表示部３ｆの「音響停止」の操作釦をマウス５でクリックしない場合に、操作表示部３ｆの「復旧スイッチ」の操作釦を操作すると、ステップＳ２に戻る。
また、主と副の監視装置１のいずれか一方が正常に動作しない、即ち異常と判断した場合（ステップＳ１０）で、主の監視装置１が正常で、副が異常と判断したときには平常監視中かどうかを見る（ステップＳ１１）。そして、平常監視中であれば、次に副の監視装置１が異常から回復したかどうかを見る（ステップＳ１２）。副の監視装置１が異常から回復していればステップＳ２に戻り、回復していなければステップＳ１０に戻る。
【００２９】
そして、主の監視装置１が正常で、副が異常と判断したときで平常監視中でなければ、主の監視装置１の連携表示制御部２ａでは、前述と同様に火災受信機１１からのＩ／Ｆ９を介した火災表示指令に基づき、表示画面制御部２ｂを動作させ、画像表示装置３のグラフィックエリア３ｂに、図３（ｂ）の左側に示すように２階の２−２の警戒区域に赤色点滅の火災シンボルＳを表示した画面を映出し、副の監視装置１の連携表示制御部２ａでは、Ｉ／Ｆ９から火災受信機１１の火災表示指令が入力されないため、図３（ｂ）の右側に示すように画像表示装置３のグラフィックエリア３ｂに何も映出させない（ステップＳ１３）。それ以降はステップＳ４と同様にステップＳ５〜ステップＳ９を実行する。
また、副の監視装置１が正常で、主が異常と判断した場合（ステップＳ１４）には、平常監視中かどうかを見る（ステップＳ１５）。そして、平常監視中であれば、次に主の監視装置１が異常から回復したかどうかを見る（ステップＳ１６）。なお、主の監視装置１が異常から正常に回復していればステップＳ２に戻り、回復していなければステップＳ１４に戻る。
【００３０】
そして、主の監視装置１が異常で、副が正常と判断したときで平常監視中でなければ、副の監視装置１の連携表示制御部２ａでは、主の監視装置１として機能するように制御し、図３の（ｃ）の右側に示すように今まで主の監視装置１の画像表示装置３のグラフィックエリア３ｂに映出されていた建物Ａの２階の平面図を副の監視装置１の画像表示装置３のグラフィックエリア３ｂに映出するように切り替え、前述と同様に火災受信機１１からのＩ／Ｆ９を介した火災表示指令に基づき、表示画面制御部２ｂを動作させ、グラフィックエリア３ｂに、図３（ｃ）の右側に示すように２階の２−２の警戒区域に赤色点滅の火災シンボルＳを表示した画面を映出し、主の監視装置１の連携表示制御部２ａでは、Ｉ／Ｆ９から火災受信機１１の火災表示指令が入力されないため、図３の（ｃ）の左側に示すように画像表示装置３のグラフィックエリア３ｂに何も映出させない（ステップＳ１７）。このとき、副の監視装置１の画像表示装置３のＣＲＴ画面３ａの操作表示部３ｆに「メニュ」、「音響停止」の操作釦が表示される。
【００３１】
次に、副の監視装置１の連携表示制御部２ａがスピーカ６に火災の発生を知らせるスピーカ鳴動指令を出し（ステップＳ１８）、スピーカ６は火災発生の警報音を鳴動させる（ステップＳ６）。それ以降はステップＳ７〜ステップＳ９を実行する。
そして、副の監視装置１が主として機能し、スピーカ６の警報音の鳴動停止後にステップＳ９の復旧スイッチが操作されていれば、ステップＳ２に戻るため、主の監視装置１が異常から正常に回復していれば、主の監視装置１は主として機能し、副の監視装置１は今まで主として機能していたものが元の副として機能するように切り替わる。
また、副の監視装置１が異常で、主も異常と判断し、いずれもダウンした場合には主と副の監視装置１の連携表示制御部２ａでは、いずれのＩ／Ｆ９からも火災受信機１１の火災表示指令が入力されないため、画像表示装置３のグラフィックエリア３ｂに何も映出させない（ステップＳ１９）。
【００３２】
このように、火災発生時に自動的に監視装置１の画像表示装置３のグラフィックエリア３ｂに火災シンボルＳを映出させる自動映出機能を動作させている場合において、主の監視装置１の連携表示制御部２ａでは、画像表示装置３のグラフィックエリア３ｂに表示された出火階の平面図の警戒区域に赤色点滅の火災シンボルを映出させると共に、スピーカ６による警報音を鳴動させ、タイトル表示部３ｃに操作可能なように「メニュ」、「音響停止」等の操作釦が表示され、副の監視装置１の連携表示制御部２ａでは、画像表示装置３のグラフィックエリア３ｂに表示された建物の断面図の出火階の警戒区域に赤色点滅の火災シンボルを映出させるが、操作表示部３ｆには何の操作釦も表示されず、スピーカ６による警報音の鳴動もなく、主の監視装置１に異常があったときには副の監視装置１が主として機能するよう表示を連携させるようにしたことにより、管理人に再重要な情報を提供することができる。
なお、防災情報として火災で示したが、これに限定されることなく、発信機の作動、防排煙機器やスプリンクラー、消火設備等の動作においても上述の表示を連携させるようにしてもよい。
【００３３】
次は、本発明の実施の形態の防災システム表示装置のシミュレーション機能の連携動作を図２、図５、図６及び図７のフローチャートに基づいて説明する。
ここで、シミュレーションとは防災センター要員が火災等の警報発生時の監視・操作に習熟するために、画面に模擬的に各ステップ毎の警報動作を表示して監視と操作の訓練を行うことをいう。このシミュレーションを行うために、例えば８つの基本パターンのシナリオがあり、例えばＮｏ１のシナリオに複数のステップの模擬警報動作がある。そして、各模擬警報動作に対してシミュレーションガイドのメッセージが表示される。
また、防災システム表示装置において、主と副の監視装置１が正常に動作し、主／副の関係が成立するまでの手順は、自動映出機能の連係動作で説明したのと同様であるので、その説明は省略する。
【００３４】
例えば、建物の１号棟Ａの主と副の監視装置１について、まず、電源を投入する（ステップＳ２１）。
次に、主と副の監視装置１が正常に動作するかどうか判断する（ステップＳ２２）。
そして、主と副の監視装置１が正常に動作している場合、主と副の監視装置１のそれぞれに、自動映出機能の説明の場合と同様に、スクリーンセイバーが行われている平常監視中に、主の監視装置１について、マウス５でＣＲＴ画面３ａのメニューバー３ｄの「取り扱い」の操作釦をクリックすると、図５（ａ）の左側に示すようにグラフィックエリア３ｂの画面上に「取り扱い」と「シミュレーション」の操作釦が表示がされる。このとき、副の監視装置１のＣＲＴ画面３ａのグラフィックエリア３ｂの画面上にも連携して「取り扱い」と「シミュレーション」の操作釦が表示がされるが、図５（ａ）の右側に示すように「シミュレーション」の操作釦は薄い表示で操作できない状態に表示される。
【００３５】
そこで、主の監視装置１のグラフィックエリア３ｂの画面上に表示されている「シミュレーション」の操作釦をマウス５でクリックすると、シミュレーションの起動が開始され、図５（ｂ）の左側に示すようにグラフィックエリア３ｂの画面上に複数のシナリオを選択させるための「シミュレーション選択」のウインドウが表示される。このとき、副の監視装置１のグラフィックエリア３ｂの画面上には図５（ｂ）の右側に示すように何も映出されない。
次に、主の監視装置１のグラフィックエリア３ｂの画面上の「シミュレーション選択」のウインドウから例えば「シナリオ１」の操作釦をマウス５でクリックすると、シミュレーションのシナリオ１の実行となり（ステップＳ２３）、平常監視中であれば（ステップＳ２４）、主と副の監視装置１の連携表示制御部２ａでそれぞれ連携してシミュレーションのシナリオ１の実行が開始される（ステップＳ２５）。また、平常監視中でない、即ち火災発生中であればシミュレーションは実行出来ない（ステップＳ２６）。
主と副の監視装置１がシミュレーション機能を発揮する連携動作については後で詳細に説明する。
【００３６】
また、主と副の監視装置１のいずれか一方が正常に動作しないと判断した場合で、主の監視装置１が正常に動作していると判断したときには（ステップＳ２７）、主と副の監視装置１が正常に動作している場合と同様に主の監視装置１のグラフィックエリア３ｂの画面上の「シミュレーション選択」のウインドウから例えば「シナリオ１」の操作釦をマウス５でクリックすると、シミュレーションのシナリオ１の実行となり（ステップＳ２８）、平常監視中であれば（ステップＳ２９）、主の監視装置１の連携表示制御部２ａでのみシミュレーションのシナリオ１の実行が開始され（ステップＳ３０）、副の監視装置１の連携表示制御部２ａでは、画像表示装置３のグラフィックエリア３ｂの画面上に何も映出させない。
【００３７】
また、副の監視装置１が正常で、主が異常と判断した場合（ステップＳ３１）には、副の監視装置１のグラフィックエリア３ｂの画面上の「シミュレーション選択」のウインドウから例えば「シナリオ１」の操作釦をマウス５でクリックすると、ステップＳ２８に戻ってシミュレーションのシナリオ１の実行となり、平常監視中であれば（ステップＳ２９）、副の監視装置１の連携表示制御部２ａでのみシミュレーションのシナリオ１の実行が開始され（ステップＳ３０）、主の監視装置１の連携表示制御部２ａでは、画像表示装置３のグラフィックエリア３ｂの画面上に何も映出させない。
また、副の監視装置１が異常で、主も異常と判断した場合、即ち主と副の監視装置１が共にダウンした場合には主と副の監視装置１の連携表示制御部２ａでは、画像表示装置３のグラフィックエリア３ｂにシュミレーションを実行できないため、何も映出させない（ステップＳ３２）。
【００３８】
ここで、主と副の監視装置１がシミュレーションを連携するステップＳ２５の動作について説明する。
主の監視装置１が主導を握り、シミュレーションのシナリオを進行させ、副は主の進行状況に併せて連携して進行する。
シミュレーションのシナリオ１の実行が開始され、火災が発生したと想定した場合、主の監視装置１の連携表示制御部２ａでは表示画面制御部２ｂを動作させ、グラフィックエリア３ｂの画面上に、図６の（ｃ）▲１▼の左側に示すように１号棟Ａの平面図を映出すると共に、２階の２−２の警戒区域に赤色点滅の火災シンボルＳ１を表示し、さらにグラフィックエリア３ｂの画面上に火災の発生に対応した所定のシミュレーションガイドを表示する。そして、シミュレーションガイドの内容を防災センター要員が読み、シミュレーションガイド内に表示された「確認」の操作釦をマウス５でクリックすれば、このシミュレーションガイドの表示は消去され、次のシミュレーションのステップに移行する。
【００３９】
また、副の監視装置１の連携表示制御部２ａでは表示画面制御部２ｂを動作させ、グラフィックエリア３ｂの画面上に、図６の（ｃ）▲１▼の右側に示すように１号棟Ａの断面図を映出すると共に、２階の２−２の警戒区域に赤色点滅の火災シンボルＳ１を表示し、シミュレーションガイドは表示しない。
次に、防排煙作動を想定し、主の監視装置１の連携表示制御部２ａではグラフィックエリア３ｂの画面上に、図６の（ｃ）▲２▼の左側に示すように１号棟Ａの平面図を映出すると共に、２階の２−２の警戒区域に火災シンボルＳと共に火災感知器との自動連動による赤色点滅の防火ダンパＳ２を表示し、さらにグラフィックエリア３ｂの画面上に防排煙作動に対応した所定のシミュレーションガイドを表示する。このときも、シミュレーションガイド内に表示された「確認」の操作釦をマウス５でクリックすれば、シミュレーションガイドの表示は消去され、次のシミュレーションのステップに移行する。
また、副の監視装置１の連携表示制御部２ａではグラフィックエリア３ｂの画面上に、図６の（ｃ）▲２▼の右側に示すようにステップ１と同様に１号棟Ａの断面図を映出すると共に、２階の２−２の警戒区域に赤色点滅の火災シンボルＳ１のみを表示し、シミュレーションガイドは表示しない。
【００４０】
さらに、防排煙作動を想定し、主の監視装置１の連携表示制御部２ａではグラフィックエリア３ｂの画面上に、図６の（ｃ）▲３▼の左側に示すように１号棟Ａの平面図を映出すると共に、２階の２−２の警戒区域に火災シンボルＳ１及び赤色点滅の防火ダンパＳ２と共にスプリンクラのシンボルＳ３を表示し、さらにグラフィックエリア３ｂの画面上に防排煙作動に対応した所定のシミュレーションガイドを表示する。このときも、シミュレーションガイド内に表示された「確認」の操作釦をマウス５でクリックすれば、シミュレーションガイドの表示は消去され、次のシミュレーションのステップに移行する。
また、副の監視装置１の連携表示制御部２ａではグラフィックエリア３ｂの画面上に、図６の（ｃ）▲３▼の右側に示すように建物Ａの断面図を映出すると共に、消火ポンプのシンボルＳ５と消防隊により操作されたとする各階に設けられた消火栓のシンボルＳ６を表示し、シミュレーションガイドは表示しない。
【００４１】
さらにまた、防排煙の遠隔起動操作を想定し、主の監視装置１の連携表示制御部２ａではグラフィックエリア３ｂの画面上に、図６の（ｃ）▲４▼の左側に示すように１号棟Ａの平面図を映出すると共に、２階の２−２の警戒区域に火災シンボルＳ１、赤色点滅の防火ダンパＳ２及びスプリンクラのシンボルＳ３と共に排煙口のシンボルＳ４を表示し、さらにグラフィックエリア３ｂの画面上に防排煙の遠隔起動操作に対応した所定のシミュレーションガイドを表示する。このときも、シミュレーションガイド内に表示された「確認」の操作釦をマウス５でクリックすれば、シミュレーションガイドの表示は消去され、次のシミュレーションのステップに移行する。
また、副の監視装置１の連携表示制御部２ａではグラフィックエリア３ｂの画面上に、図６の（ｃ）▲４▼の右側に示すように１号棟Ａの断面図を映出すると共に、消火ポンプのシンボルＳ５と消防隊により操作されたとする各階に設けられた消火栓のシンボルＳ６を表示し、シミュレーションガイドは表示しない。
【００４２】
さらに、排煙機の起動を想定し、主の監視装置１の連携表示制御部２ａではグラフィックエリア３ｂの画面上に、図６の（ｃ）▲５▼の左側に示すようにステップ４と同様に１号棟Ａの平面図を映出すると共に、２階の２−２の警戒区域に火災シンボルＳ１、赤色点滅の防火ダンパＳ２及びスプリンクラのシンボルＳ３と共に排煙口のシンボルＳ４を表示し、さらにグラフィックエリア３ｂの画面上に防排煙の遠隔起動操作に対応した所定のシミュレーションガイドを表示する。このときも、シミュレーションガイド内に表示された「確認」の操作釦をマウス５でクリックすれば、シミュレーションガイドの表示は消去される。
また、副の監視装置１の連携表示制御部２ａではグラフィックエリア３ｂの画面上に、図６の（ｃ）▲５▼の右側に示すように１号棟Ａの断面図を映出すると共に、排煙機のシンボルＳ７を表示し、シミュレーションガイドは表示しない。
以上のステップ１から５までのシミュレーションの実行が終われば、シミュレーションは終了する。
【００４３】
以上の説明は、建物の１号棟Ａの主と副の監視装置１について、電源投入後に主と副の監視装置１が正常に動作している場合、主の監視装置１が正常で副の監視装置１が異常の場合、副の監視装置１が正常で主の監視装置１が異常の場合を説明したものであるが、主と副の監視装置１が正常に動作し、シミュレーションの実行を連携している途中で、副の監視装置１が異常のときは主の監視装置１ではそのまま引き続きシミュレーションを続行する。
また、主と副の監視装置１が正常に動作し、シミュレーションの実行を連携している途中で、主の監視装置１が異常のときは副の監視装置１ではシミュレーションの実行を停止する。そして、副の監視装置１が主として機能することとなったときに、シミュレーションを実行すれば、始めから実行することになる。
【００４４】
なお、シミュレーションの実行中にも、自動映出機能の動作の説明の場合と同様に、主として機能する監視装置１のスピーカ６で火災発生時や火災受信機の異常のときに火災発生と異常を知らせる警報音を鳴動させたり、プリンタ７で火災感知器１２や消火栓、防火戸、排煙機等の火災に関連する端末機器の動作時と画像表示装置３に映出された復旧のための復旧釦、連動遮断解除のための連動遮断解除釦等の各種の操作釦の操作時にプリンタ７で各動作内容と各操作内容を自動的に印字することしている。
このように、実警報発生時と同じ状況を再現するように、２台の監視装置１の画像表示装置３のＣＲＴ画面３ａのグラフィックエリア３ｂに映出される画面が１方を主とし、他方を副として連携してシミュレーションを進行させていくので、管理人にとって取り扱い方法を習熟させる効果がある。
【００４５】
次は、本発明の実施の形態の防災システム表示装置の連動遮断、非常放送、移報遮断、火災断定、地区音響一斉、地区音響、復旧機能の連携動作を図２、図８及び図９に基づいて説明する。
例えば、建物の１号棟Ａの主と副の監視装置１について見ると、自動映出機能の連携動作で説明したように、いずれの画像表示装置３のＣＲＴ画面３ａのグラフィックエリア３ｂの画面上にもスクリーンセイバーが行われている平常監視中に、主の監視装置１について、マウス５でＣＲＴ画面３ａのメニューバー３ｄの「画面選択」の操作釦をクリックすると、図８に示すようにグラフィックエリア３ｂの画面上に６個の「メニュー１〜６」と「システム」と「履歴リスト」と１６個の「受信機操作１〜１６」の操作釦が表示がされる。このとき、副の監視装置１のＣＲＴ３ａのグラフィックエリア３ｂの画面上にも連携して「メニュー１〜６」と「システム」と「履歴リスト」と１６の「受信機操作１〜１６」の操作釦が表示がされるが、これらの操作釦は薄い表示で操作できない状態に表示される。
【００４６】
そして、主の監視装置１のグラフィックエリア３ｂの画面上に表示されている「受信機操作１」の操作釦をマウス５でクリックすると、図９に示すようにグラフィックエリア３ｂの画面上に「一括連動遮断」と２０個の「連動遮断１〜２０」の操作釦を有する連動遮断領域ａと、「非常放送遮断」の操作釦を有する非常放送領域ｂと、「一括移報遮断」と「代表移報遮断」と「表示移報遮断」と「外部移報遮断」の操作釦を有する移報遮断領域ｃと。「火災断定」の操作釦を有する火災断定領域ｄと、「一斉鳴動」の操作釦を有する地区音響一斉領域ｅと、「一時停止」の操作釦を有する地区音響領域ｆと、「復旧」の操作釦を有する復旧領域ｇとが表示される。
このとき、副の監視装置１のＣＲＴ画面３ａのグラフィックエリア３ｂの画面上にも連携して「連動遮断領域ａ」と「非常放送領域ｂ」と「火災断定領域ｄ」と「地区音響一斉領域ｅ」と「地区音響領域ｆ」と「復旧領域ｇ」の操作釦が表示がされるが、これらの操作釦は薄い表示で操作できない状態に表示される。
【００４７】
また、通常動作中において、副の監視装置１が主の監視装置１の異常をマスターのＩ／Ｆ９からの情報信号で検知した場合は、副の監視装置１は自動的に動作モードを主へ切り替え、以前に主の監視装置１のＣＲＴ画面３ａのグラフィックエリア３ｂの画面上には何も表示されない。なお、通常動作中において、主の監視装置１が副の監視装置１の異常をマスターのＩ／Ｆ９からの情報信号で検知した場合は、主の監視装置１の動作モードはそのままで、副の監視装置１のＣＲＴ画面３ａのグラフィックエリア３ｂの画面上には何も表示されない。
このように、主の監視装置１のＣＲＴ画面３ａのグラフィックエリア３ｂの画面上に連動遮断領域ａ、非常放送領域ｂ、移報遮断領域ｃ、火災断定領域ｄ、地区音響一斉領域ｅ、地区音響領域ｆ及び復旧領域ｇに各操作釦が表示され、各操作釦を操作することができるが、副の監視装置１のＣＲＴ画面３ａのグラフィックエリア３ｂの画面上には連動遮断領域ａ、非常放送領域ｂ、移報遮断領域ｃ、火災断定領域ｄ、地区音響一斉領域ｅ、地区音響領域ｆ及び復旧領域ｇに各操作釦が表示されても操作できず、また主の監視装置１に異常があったときには副の監視装置１が主として機能するよう連携させたことにより、管理人に常に重要な情報を提供し続けることができ、各種の操作を常にすることが可能となる。
【００４８】
なお、本発明の実施の形態では、主及び副の監視装置が共に正常な場合に、副の監視装置では地区音響領域ｆ及び復旧領域ｇに各操作が表示されても操作できないようにしたが、主、副いずれの監視装置でも操作可能にするようにしてもよい。
また、本発明の実施の形態では、防災センターや管理人室で説明したが、これらに限定されるものではなく、主及び副の監視装置が１箇所に設置されていればよい。
さらに、本発明の実施の形態では、主及び副の監視装置と火災受信機とを１箇所に組み合わせて設置して説明したが、主及び副の監視装置が１箇所に設置されていればよく、火災受信機を一緒の場所に設置しなくてもよい。
【００４９】
【発明の効果】
以上のように本発明に係る請求項１によれば、建物に複数の防災機器が接続された火災受信機或いは複数の監視装置が設置され、これらが各インターフェイスを介して通信線に接続されてなるシステムの防災システム表示装置であって、建物の１箇所に火災受信機と複数の監視装置とが組み合わされて設置されたものにあって、複数の監視装置に対応する各インターフェイスが初期状態においてそれぞれ自分の立場を認識し、１つを主とし、それ以外を副とし、当該これら複数の監視装置とそれに対応する各インターフェイスとで通信状態が正常なときは、主のインターフェイスに対応して接続された監視装置は火災受信機からの防災情報に基づいて主として機能し、副のインターフェイスに対応して接続された監視装置は火災受信機からの防災情報に基づいて副として機能するようにしたので、防災管理者が手動で操作しなくとも監視装置は自動的に異なる機能を果たすという効果がある。
また、前記監視装置とそれに対応する主のインターフェイスとで通信状態が異常なときは副のインターフェイスに対応して接続された各監視装置のいずれか１つは火災受信機からの防災情報に基づいて主として機能するよう切り替えるようにしたので、必ず主として機能する監視装置があるため、防災管理者が防災管理上支障をきたすことがないという効果がある。
さらに、複数の監視装置のうち少なくとも２台が１箇所に設置された当該監視装置の連携表示制御部は、防災機器からの防災情報信号が火災受信機を介して入ってきたときに、他方の監視装置との関係で自分が主として機能するときは、該防災情報に係わる階の平面図と該防災情報に関する各種防災シンボルを画像表示装置に表示させる表示指令と共に操作が入力可能な各種操作釦を表示させる表示指令を表示画面制御部に出力し、他方の監視装置との関係で自分が副として機能するときは、予め定義された図と前記防災情報に関する各種防災シンボルを画像表示装置に表示させる表示指令のみを表示画面制御部に出力し、さらに主として機能する監視装置が異常と判断したときは自身が主として機能して、前記防災情報に係わる階の平面図と該防災情報に関する各種防災シンボルを画像表示装置に表示させる表示指令と共に操作が入力可能な各種操作釦を表示させる表示指令を表示画面制御部に出力するよう制御するので、当該監視装置が他方の監視装置との関係で自分が主として機能するときは、防災情報に係わる階の平面図と防災情報に関する各種防災シンボルを画像表示装置に表示させ、操作が入力可能な各種操作釦の表示を行って各種の操作を入力でき、他方の監視装置との関係で自分が副として機能するときは、画像表示装置に予め定義された図と防災情報に関する防災シンボルを表示させて連携させるようにしたことにより、防災センター要員や管理人に最重要な情報を提供することができるという効果がある。
【００５０】
本発明に係る請求項２によれば、複数の監視装置のうち少なくとも２台が１箇所に設置された当該各監視装置の連携表示制御部は、連携表示制御部が画像表示装置の画面に表示されたシミュレーションの操作釦が選択されたとき、他方の監視装置との関係で自分が主として機能するときは、データベースを読み込んで画像表示装置に主シミュレーションを表示させる表示指令を表示画面制御部に出力し、他方の監視装置との関係で自分が副として機能するときは、データベースを読み込んで画像表示装置に副シミュレーションを表示させる表示指令を表示画面制御部に出力するよう制御するので、他方の監視装置との関係で自分が主として機能するときは、画像表示装置に主シミュレーションを表示させる表示をし、他方の監視装置との関係で自分が副として機能するときは、画像表示装置に副シミュレーションを表示させることとなり、実警報発生時と同じ状況に主と副の監視装置が連携してシミュレーションを進行させていくので、防災センター要員や管理人にとって取り扱い方法を習熟させる効果がある。
【００５１】
本発明に係る請求項３によれば、各監視装置は音響発生装置を有し、当該各監視装置の連携表示制御部は他方の監視装置との関係で自分が主として機能するときと、或いは他方の監視装置との関係で自分が副として機能していて、主として機能する監視装置が異常と判断して自身が主として機能することとなったときは、防災情報発生時と火災受信機の異常時に音響発生装置に対して防災情報発生と異常を知らせる警報音指令を出力するので、主と副の監視装置が正常に動作するときと主の監視装置のみが正常に動作するときと主の監視装置に異常があって副の監視装置が主の機能を代行するときは音響発生装置は防災情報発生時と火災受信機の異常時に音響発生装置が防災情報発生と異常を知らせる警報音を発することにより、主の監視装置に異常があれば、副の監視装置が主の機能を代行するので、警報音の発生に支障をきたすことがなくなるという効果がある。
【図面の簡単な説明】
【図１】本発明の一実施形態に係る防災システム表示装置の監視装置の構成を示すブロック図である。
【図２】同防災システム表示装置のネットワークの構成を示す模式図である。
【図３】同防災システム表示装置の自動映出機能の連携を説明する説明図である。
【図４】同防災システム表示装置の自動映出機能の連携を説明するフローチャートである。
【図５】同防災システム表示装置のシミュレーション機能の連携を説明する説明図である。
【図６】同防災システム表示装置のシミュレーション機能の連携を説明する説明図である。
【図７】同防災システム表示装置のシミュレーション機能の連携を説明するフローチャートである。
【図８】同防災システム表示装置の受信機操作を選択する画像を示す説明図である。
【図９】同防災システム表示装置の連動遮断、火災断定、音響停止等の機能の連携を説明する説明図である。
【符号の説明】
１    監視装置
２    監視装置本体
２ａ  連携表示制御部で
２ｂ  表示画面制御部
２ｃ  データベース
３    画像表示装置
３ａ  ＣＲＴ画面、
３ｂ  グラフィックエリア
８    ＬＡＮ
９    Ｉ／Ｆ
１１    火災受信機
１２    火災感知器
１３    Ｉ／Ｆ
【図１】
0003750046.tif 000002
【図２】
0003750046.tif 000003
【図３】
0003750046.tif 000004
【図４】
0003750046.tif 000005
【図５】
0003750046.tif 000006
【図６】
0003750046.tif 000007
【図７】
0003750046.tif 000008
【図８】
0003750046.tif 000009
【図９】
0003750046.tif 000010